(57)【要約】【課題】平坦地用と傾斜地用とに兼用することができるフェンス用支柱を提供する。【解決手段】山部１Ａの両側にフランジ１Ｂが形成されたハット形鋼からなる支柱本体１と、支柱本体１の上部および下部の山部１Ａの各々に形成されたボルト孔１Ｃと、支柱本体１の上部のフランジ１Ｂに形成された左右一対の爪１Ｄとからなり、爪１Ｄは、山部１Ａと反対側のフランジ１Ｂ面に、支柱本体１の上部方向を向いて形成されている。【選択図】図１
2008095340.tif 000002
【特許請求の範囲】
【請求項１】
山部の両側にフランジが形成されたハット形鋼からなる支柱本体と、前記支柱本体の上部および下部の山部の各々に形成されたボルト孔と、前記支柱本体の上部の前記フランジに形成された左右一対の爪とからなり、前記爪は、前記山部と反対側の前記フランジ面に、前記支柱本体の上部方向を向いて形成されていることを特徴とするフェンス用支柱。
【請求項２】
板状の金具本体と、前記金具本体の上部に形成されたボルト孔と、前記金具本体の下部に形成された左右一対の爪とからなり、前記爪は、前記金具本体の一方の面に、前記ボルト孔方向を向いて形成されていることを特徴とする、請求項１記載のフェンス用支柱に使用される傾斜胴縁固定金具。
【請求項３】
板状の金具本体と、前記金具本体の上部に形成されたボルト孔と、前記金具本体の下部に形成された爪とからなり、前記爪は、前記金具本体の下部を上方にフック状に折り曲げることにより形成されていることを特徴とする、請求項１記載のフェンス用支柱に使用される傾斜胴縁固定金具。
【発明の詳細な説明】
【技術分野】
【０００１】
この発明は、フェンス用支柱およびこの支柱に使用される傾斜胴縁固定金具、特に、フェンスを平坦地に構築する場合、および、傾斜地に構築する場合の両方に兼用できるフェンス用支柱およびこの支柱に使用される傾斜胴縁固定金具に関するものである。
【背景技術】
【０００２】
従来、例えば、格子フェンスとして、図５に示すように、支柱本体１と胴縁２と格子パネル３とから構成されるものがある。
【０００３】
支柱本体１は、図６に示すように、山部１Ａの両側にフランジ１Ｂが形成されたハット形鋼からなり、支柱本体１の上下部の各々には、ボルト孔１Ｃと爪１Ｄとが形成されている。爪１Ｄは、山部１Ａと反対側のフランジ１Ｂ面に、支柱本体１の上部側のボルト孔１Ｃ方向を向いて左右一対形成されている。胴縁２は、図７に示すように、Ｌ形鋼からなり、爪１Ｄに引っ掛けた状態で固定金具４により支柱本体１にボルト９により固定される。
【０００４】
上述した従来格子フェンスを平坦地に構築する場合には、図８に示すように、胴縁２の垂直片（ａ）を爪１Ｄに水平に引っ掛け、胴縁２の水平片（ｂ）を固定金具４の溝４Ａに差し込んで、固定金具４を支柱本体１にボルト９により固定し、格子パネル３を胴縁２と支柱本体１とに固定する。
【発明の開示】
【発明が解決しようとする課題】
【０００５】
上述した従来格子フェンスを傾斜地に構築する場合には、支柱本体１に対して胴縁２を地形の勾配に合わせて傾斜させて固定する必要がある。傾斜角度が５°から１０°程度の場合には、図９に示すように、一対の爪１Ｄの一方を押して平らにするか、あるいは、切断し、残りの爪１Ｄに胴縁２を引っ掛ければ良いが、傾斜角度が大きくなると、残りの爪１Ｄに胴縁２が完全に引っ掛からなくなって、構築ができないことがあった。
【０００６】
そこで、胴縁２の傾斜角度が大きくなった場合には、専用金具を使用して、胴縁２を支柱本体１に固定することが考えられる。しかし、爪１Ｄがあると専用金具の取り付けに邪魔になるので、この場合にも、爪１Ｄを押して平らにするか、あるいは、切断する必要があった。
【０００７】
爪１Ｄを押して平らにするか、あるいは、切断する作業は、現場作業となり、手間と時間がかかる。この問題を解決するには、平坦地用支柱と傾斜地用支柱とを別々に製作すれば良い。すなわち、端部にボルト孔および爪を形成した平坦部用支柱と、端部にボルト孔のみを形成した傾斜地用支柱との２種類の支柱を製作すれば良い。
【０００８】
しかし、２種類の支柱を製作するには、費用がかかり、また、保管も煩雑となる。
【０００９】
そこで、平坦地用と傾斜地用とを兼用することができる支柱の開発が望まれていたが、かかる支柱は、まだ提案されていない。
【００１０】
従って、この発明の目的は、平坦地用と傾斜地用とを兼用することができるフェンス用支柱およびこの支柱を胴縁に確実に傾斜させて固定することができる支柱用傾斜胴縁固定金具を提供することにある。
【課題を解決するための手段】
【００１１】
この発明は、上記目的を達成するためになされたものであって、下記を特徴とするものである。
【００１２】
請求項１記載の発明は、山部の両側にフランジが形成されたハット形鋼からなる支柱本体と、前記支柱本体の上部および下部の山部の各々に形成されたボルト孔と、前記支柱本体の上部の前記フランジに形成された左右一対の爪とからなり、前記爪は、前記山部と反対側の前記フランジ面に、前記支柱本体の上部方向を向いて形成されていることに特徴を有するものである。
【００１３】
請求項２記載の発明は、請求項１記載のフェンス用支柱に使用される傾斜胴縁固定金具であって、板状の金具本体と、前記金具本体の上部に形成されたボルト孔と、前記金具本体の下部に形成された左右一対の爪とからなり、前記爪は、前記金具本体の一方の面に、前記ボルト孔方向を向いて形成されていることに特徴を有するものである。
【００１４】
請求項３記載の発明は、請求項１記載のフェンス用支柱に使用される傾斜胴縁固定金具であって、板状の金具本体と、前記金具本体の上部に形成されたボルト孔と、前記金具本体の下部に形成された爪とからなり、前記爪は、前記金具本体の下部を上方にフック状に折り曲げることにより形成されていることに特徴を有するものである。
【発明の効果】
【００１５】
この発明によれば、フェンスを平坦地に構築する場合は勿論、傾斜地に構築する場合にも兼用できるので、支柱の製作費用を削減でき、保管も簡素化される。
【発明を実施するための最良の形態】
【００１６】
この発明のフェンス用支柱の一実施態様を、図面を参照しながら説明する。
【００１７】
図１は、この発明のフェンス用支柱を示す一部省略正面図、図２は、傾斜胴縁固定金具を使用して支柱に胴縁を固定した状態を示す正面図である。
【００１８】
図１に示すように、この発明のフェンス用支柱は、山部１Ａの両側にフランジ１Ｂが形成されたハット形鋼からなる支柱本体１と、支柱本体１の上部および下部の山部１Ａの各々に形成されたボルト孔１Ｃと、支柱本体１の上部のフランジ１Ｂに形成された左右一対の爪１Ｄとからなっている。爪１Ｄは、山部１Ａと反対側のフランジ１Ｂ面に、支柱本体１の上部方向を向いて形成されている。
【００１９】
このように構成されている、この発明のフェンス用支柱によれば、以下のようにして、フェンスが構築される。
【００２０】
平坦地にフェンスを構築する場合には、支柱本体１を爪１Ｄが形成されている端部を上にしてコンクリート基礎（図示せず）に固定し、図８に示す場合と同様に、胴縁２の垂直片（ａ）を爪１Ｄに水平に引っ掛け、胴縁２の水平片（ｂ）を固定金具４に差し込んで、固定金具４を支柱１にボルト９により固定し、格子パネル３を胴縁２と支柱本体１とに固定する。
【００２１】
傾斜地にフェンスを構築する場合には、支柱本体１を上下逆にしてコンクリート基礎に固定する。すなわち、支柱本体１を爪１Ｄが形成されている端部を下にしてコンクリート基礎（図示せず）に固定し、図２に示すように、後述する傾斜胴縁固定金具５を使用し、胴縁２を支柱本体１に傾斜させて固定する。
【００２２】
構築後の支柱本体１の下部は、平坦地、傾斜地の何れの場合であってもコンクリート基礎中に埋設されるので外観は変わらない。
【００２３】
傾斜胴縁固定金具５は、図３に示すように、板状の金具本体６と、金具本体６の上部に形成されたボルト孔６Ａと、金具本体６の下部に形成された左右一対の爪６Ｂとからなっている。爪６Ｂは、金具本体６の一方の面に、ボルト孔６Ａ方向を向いて形成されている。
【００２４】
胴縁２は、傾斜胴縁固定金具５により次のようにして支柱１に固定される。図２に示すように、胴縁２の傾斜に合わせて傾斜胴縁固定金具５を傾斜させ、その爪６Ｂに胴縁２を引っ掛け、ボルト９を支柱本体１のボルト孔１Ｃおよび金具本体６のボルト孔６Ａに挿通し、固定金具４を介して固定する。
【００２５】
傾斜地にフェンスを構築する場合、傾斜胴縁固定金具５が固定される支柱本体１の面には、爪１Ｄが形成されていないので、傾斜胴縁固定金具５の取り付けに支障は来たさない。
【００２６】
別の傾斜胴縁固定金具７を図４に示す。この傾斜胴縁固定金具７は、板状の金具本体８と、金具本体８の上部に形成されたボルト孔８Ａと、金具本体８の下部に形成された、胴縁２を引っ掛ける爪８Ｂとからなっている。爪８Ｂは、金具本体８の下部を上方にフック状に折り曲げることにより形成されている。
【００２７】
この傾斜胴縁固定金具７を使用して、胴縁２を支柱１に固定する方法は、図３に示した傾斜胴縁固定金具５の場合と同様である。
【００２８】
以上説明したように、この発明の支柱は、フェンスを平坦地に構築する場合と傾斜地に構築する場合の両方に兼用できるので、一種類の支柱を製造するだけで済む。従って、支柱の製造コストの低減およびその管理の簡素化が図れる。
【００２９】
また、この発明の傾斜胴縁固定金具によれば、傾斜した胴縁を確実に支柱に固定することができる。
【図面の簡単な説明】
【００３０】
【図１】この発明のフェンス用支柱を示す一部省略正面図である。
【図２】この発明の傾斜胴縁固定金具を使用して支柱に胴縁を固定した状態を示す正面図である。
【図３】この発明の傾斜胴縁固定金具を示す斜視図である。
【図４】この発明の別の傾斜胴縁固定金具を示す斜視図である。
【図５】従来の格子フェンスを示す正面図である。
【図６】従来の格子フェンスの支柱本体を示す一部省略正面図である。
【図７】支柱への胴縁の組み立て図である。
【図８】支柱に胴縁を水平に取り付けた状態を示す正面図である。
【図９】支柱に胴縁を傾斜させて取り付けた状態を示す正面図である。
【符号の説明】
【００３１】
１：支柱本体
１Ａ：山部
１Ｂ：フランジ
１Ｃ：ボルト孔
１Ｄ：爪
２：胴縁
３：格子パネル
４：固定金具
５：傾斜胴縁固定金具
６：金具本体
６Ａ：ボルト孔
６Ｂ：爪
７：別の傾斜胴縁固定金具
８：金具本体
８Ａ：ボルト孔
８Ｂ：爪
９：ボルト
【図１】
2008095340.tif 000003
【図２】
2008095340.tif 000004
【図３】
2008095340.tif 000005
【図４】
2008095340.tif 000006
【図５】
2008095340.tif 000007
【図６】
2008095340.tif 000008
【図７】
2008095340.tif 000009
【図８】
2008095340.tif 000010
【図９】
2008095340.tif 000011